(57)【要約】【課題】複数の映像表示装置を並べてマルチ画面を構成した場合に、マルチ画面の全体画面でバックライトの輝度を最適に設定できるようにする。【解決手段】視野範囲判定部１０２と、表示位置記憶部１０３と、バックライト輝度制御部１０４とを備える。視野範囲判定部１０２は、使用者の視野範囲を判定する。表示位置記憶部１０３は、マルチ画面の全体の表示位置を前記複数の表示装置で共有する。バックライト輝度制御部１０４は、一画面を複数に分割した点灯領域毎にバックライトの輝度が調整可能なローカルディミング機能を有し、使用者の視野範囲に応じて当該表示装置のバックライトの輝度を設定するとともに、当該表示装置の表示領域からはみ出した視野範囲の位置情報を他の表示装置に送信する。【選択図】図７
2017156593.tif 000002
【特許請求の範囲】
【請求項１】
複数の表示装置を並べてマルチ画面を構成するようにしたマルチ画面表示システムであって、
使用者の視野範囲を判定する視野範囲判定部と、
前記マルチ画面の全体の表示位置を前記複数の表示装置で共有する表示位置記憶部と、
一画面を複数に分割した点灯領域毎にバックライトの輝度が調整可能なローカルディミング機能を有し、使用者の視野範囲に応じて当該表示装置のバックライトの輝度を設定するとともに、当該表示装置の表示領域からはみ出した視野範囲の位置情報を他の表示装置に送信するバックライト輝度制御部と、
を備えたことを特徴とするマルチ画面表示システム。
【請求項２】
前記視野範囲判定部は、使用者の視線の位置と前記使用者の距離とに応じて視野範囲を判定することを特徴とする請求項１に記載のマルチ画面表示システム。
【請求項３】
前記バックライト輝度制御部は、前記使用者の視野範囲内の輝度を明るく設定し、前記使用者の視野範囲でない領域の輝度を暗く設定することを特徴とする請求項１又は２に記載のマルチ画面表示システム。
【請求項４】
複数の表示装置を並べてマルチ画面を構成するようにしたマルチ画面表示システムを構成する表示装置であって、
使用者の視野範囲を判定する視野範囲判定部と、
前記マルチ画面の全体の表示位置を複数の表示装置で共有する表示位置記憶部と、
一画面を複数に分割した点灯領域毎にバックライトの輝度が調整可能なローカルディミング機能を有し、使用者の視野範囲に応じて当該表示装置のバックライトの輝度を設定するとともに、当該表示装置の表示領域からはみ出した視野範囲の位置情報を他の表示装置に送信するバックライト輝度制御部と
を備えたことを特徴とする表示装置。
【請求項５】
複数の表示装置を並べてマルチ画面を構成するようにしたマルチ画面表示システムにおけるバックライトの輝度設定方法であって、
前記マルチ画面の全体の位置を前記複数の表示装置で共有しておき、
使用者の視野範囲を判定し、
前記使用者の視野範囲に応じて当該表示装置のバックライトの輝度を設定するとともに、当該表示装置の表示領域からはみ出した視野範囲の位置情報を他の表示装置に送信する
ようにしたことを特徴とするマルチ画面表示システムにおけるバックライト輝度設定方法。
【請求項６】
複数の表示装置を並べてマルチ画面を構成するようにしたマルチ画面表示システムにおけるバックライトの輝度を設定するプログラムであって、
前記マルチ画面の全体の位置を前記複数の表示装置で共有するステップと、
使用者の視野範囲を判定するステップと、
前記使用者の視野範囲に応じて当該表示装置のバックライトの輝度を設定するとともに、当該表示装置の表示領域からはみ出した視野範囲の位置情報を他の表示装置に送信するステップと
を含むようにしたことを特徴とするコンピュータにより実行可能なプログラム。
【発明の詳細な説明】
【技術分野】
【０００１】
本発明は、マルチ画面表示システム、表示装置、バックライト輝度設定方法、及びプログラムに関する。
【背景技術】
【０００２】
複数の映像表示装置を並べて全体で１つの大型の映像表示装置として構成するマルチ画面表示システムが知られている。また、一画面を複数の点灯領域に分割し、点灯領域毎にバックライトの明るさを制御できるようにしたローカルディミング機能が知られている。特許文献１及び特許文献２には、ローカルディミング機能を有する複数の映像表示装置を並べてマルチ画面表示システムを構築することが記載されている。
【０００３】
マルチ画面表示システムにより大型の映像表示装置を構成した場合、消費電力が非常に大きくなる。そこで、使用者の視野範囲を判定してバックライトの輝度を制御することで、低消費電力化を図ることが検討されている。すなわち、大型の映像表示装置では、使用者が視認できる領域は限られており、使用者が視認できない領域では、バックライトを低輝度に制御しても、使用者の視認性は低下しない。このことから、使用者の視野範囲を判定し、使用者の視野範囲外では、バックライトを低輝度に制御することで、使用者の視認性を低下させることなく、効果的に消費電力を低減できる。
【先行技術文献】
【特許文献】
【０００４】
【特許文献１】特開２０１２−２２６１７７号公報
【特許文献２】特開２０１４−１９４５２５号公報
【発明の概要】
【発明が解決しようとする課題】
【０００５】
上述のような制御を、マルチ画面表示システムで行う場合、マルチ画面表示システムの全体画面から使用者の視野範囲を判定して、バックライトの輝度を制御する必要がある。しかしながら、特許文献１及び特許文献２に示されるように、ローカルディミングの制御は、個々の映像表示装置毎に行われている。このような個々の映像表示装置毎のローカルディミングの制御では、マルチ画面表示システムの全体画面でのバックライトの輝度の制御は行えない。
【０００６】
上述の課題を鑑み、本発明は、複数の映像表示装置を並べてマルチ画面を構成した場合に、マルチ画面の全体画面でバックライトの輝度を最適に設定できるマルチ画面表示システム、表示装置、バックライト輝度設定方法、及びプログラムを提供することを目的とする。
【課題を解決するための手段】
【０００７】
上述の課題を鑑み、本発明の一態様に係るマルチ画面表示システムは、複数の表示装置を並べてマルチ画面を構成するようにしたマルチ画面表示システムであって、使用者の視野範囲を判定する視野範囲判定部と、前記マルチ画面の全体の表示位置を前記複数の表示装置で共有する表示位置記憶部と、一画面を複数に分割した点灯領域毎にバックライトの輝度が調整可能なローカルディミング機能を有し、使用者の視野範囲に応じて当該表示装置のバックライトの輝度を設定するとともに、当該表示装置の表示領域からはみ出した視野範囲の位置情報を他の表示装置に送信するバックライト輝度制御部とを備えたことを特徴とする。
【０００８】
本発明の一態様に係る表示装置は、マルチ画面表示システムを構成する表示装置であって、使用者の視野範囲を判定する視野範囲判定部と、前記マルチ画面の全体の表示位置を前記複数の表示装置で共有する表示位置記憶部と、一画面を複数に分割した点灯領域毎にバックライトの輝度が調整可能なローカルディミング機能を有し、使用者の視野範囲に応じて当該表示装置のバックライトの輝度を設定するとともに、当該表示装置からはみ出した視野範囲の位置情報を他の表示装置に送信するバックライト輝度制御部とを備えたことを特徴とする。
【０００９】
本発明の一態様に係るマルチ画面表示システムにおけるバックライト輝度設定方法は、複数の映像表示装置を並べてマルチ画面を構成するようにしたマルチ画面表示システムにおけるバックライトの輝度設定方法であって、前記マルチ画面の全体の位置を前記複数の映像表示装置で共有しておき、使用者の視野範囲を判定し、前記使用者の視野範囲に応じて当該映像表示装置のバックライトの輝度を設定するとともに、当該映像表示装置の表示領域からはみ出した視野範囲の位置情報を他の映像表示装置に送信するようにしたことを特徴とする。
【００１０】
本発明の一態様に係るプログラムは、複数の映像表示装置を並べてマルチ画面を構成するようにしたマルチ画面表示システムにおけるバックライトの輝度を設定するプログラムであって、前記マルチ画面の全体の位置を前記複数の映像表示装置で共有するステップと、使用者の視野範囲を判定するステップと、前記使用者の視野範囲に応じて当該映像表示装置のバックライトの輝度を設定するとともに、当該映像表示装置の表示領域からはみ出した視野範囲の位置情報を他の映像表示装置に送信するステップとを含むようにしたことを特徴とする。
【発明の効果】
【００１１】
本発明によれば、複数の映像表示装置でマルチ画面表示システムの全体の表示位置を共有し、一つの映像表示装置からはみ出した視線範囲の位置情報を、他の映像表示装置に送ることで、マルチ画面の全体で、バックライトの輝度を最適に設定できる。これにより、使用者の視認性を低下させることなく、効果的に消費電力の低減を図ることができる。
【図面の簡単な説明】
【００１２】
【図１】本発明の第１の実施形態に係るマルチ画面表示システムの概要の構成の説明図である。
【図２】本発明の第１の実施形態に係るマルチ画面表示システムにおける映像表示装置の構成を示すブロック図である。
【図３】本発明の第１の実施形態に係るマルチ画面表示システムの映像表示装置におけるバックライト構成の説明図である。
【図４】本発明の第１の実施形態に係るマルチ画面表示システムでのバックライト制御の概要の説明図である。
【図５】本発明の第１の実施形態に係るマルチ画面表示システムにおけるバックライトの輝度制御を示すフローチャートである。
【図６】マルチ画面の全体の表示位置の座標の説明図である。
【図７】本発明によるマルチ画面表示システムの基本構成を示す概略ブロック図である。
【発明を実施するための形態】
【００１３】
以下、本発明の実施の形態について図面を参照しながら説明する。図１は、本発明の第１の実施形態に係るマルチ画面表示システム１の概要の構成を示すものである。
【００１４】
図１に示すように、本発明の第１の実施形態に係るマルチ画面表示システム１は、複数の映像表示装置、この例では２台の映像表示装置１０ａ及び１０ｂを並べて構成されている。映像表示装置１０ａ及び１０ｂは、ローカルディミング機能を有する液晶表示装置（ＬＣＤ；Ｌｉｑｕｉｄ  Ｃｒｙｓｔａｌ  Ｄｉｓｐｌａｙ）である。ローカルディミング機能は、画面全体を複数の点灯エリアに分割し、分割された点灯エリア毎にバックライトの明るさを制御できる機能である。マルチ画面表示システムを構成する複数の映像表示装置１０ａ及び１０ｂには、視線センサ２１と人感センサ２２とが設けられている。
【００１５】
図２は、本発明の第１の実施形態に係るマルチ画面表示システム１における映像表示装置１０ａ及び１０ｂの構成を示すブロック図である。図２に示すように。映像表示装置１０ａ及び１０ｂは、映像入力部１１と、映像処理部１２と、液晶パネル１３と、バックライト１４と、バックライト駆動部１５と、制御部１６と、メモリ１７と、外部インターフェース１８と、視線センサ２１と、人感センサ２２とを備えている。
【００１６】
映像入力部１１は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ；高精細度マルチメディアインターフェース）入力端子、ＲＧＢ（赤、緑、青）入力端子、コンポジットビデオ端子等、複数種類の入力端子を備えている。映像入力部１１からの映像信号は、制御部１６の制御の基に切り替えられ、映像処理部１２に供給される。
【００１７】
映像処理部１２は、コンポジットビデオ信号からコンポーネント信号への変換処理、Ｉ／Ｐ変換（インターレース画像とプログレシブ画像との変換）処理、画サイズ調整、画質調整等の処理を行う。映像処理部１２の出力は、液晶パネル１３に供給される。
【００１８】
液晶パネル１３は、映像処理部１２からの映像信号に基づく画像を表示する。
バックライト１４は、液晶パネル１３の背面から、光を照射する。
バックライト駆動部１５は、制御部１６からの駆動信号に基づいて、バックライト１４を駆動する。
【００１９】
図３は、バックライト１４の構成を示している。図３に示すように、バックライト１４を構成する光源２５は、複数の点灯領域に分割されて配置されている。複数の光源２５により、バックライト１４の明るさは、点灯領域毎に制御できる。これにより、ローカルディミング機能が実現できる。
【００２０】
制御部１６は、ＣＰＵ（Ｃｅｎｔｒａｌ  Ｐｒｏｃｅｓｓｉｎｇ  Ｕｎｉｔ；中央演算処理装置）等からなり、機器全体の制御を行っている。
メモリ１７は、各種のプログラムやデータを保存する。また、本実施形態では、メモリ１７は、マルチ画面の全体の表示位置を記憶する表示位置記憶部となる。メモリ１７は、記憶媒体、例えば、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、フラッシュメモリ、ＨＤＤ（Ｈａｒｄ  Ｄｉｓｋ  Ｄｒｉｖｅ；ハードディスクドライブ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ；イーイープロム）、またはそれらの任意の組み合わせを含んで構成される。
【００２１】
外部インターフェース１８は、他の映像表示装置と接続して、データの送受を行う。外部インターフェース１８としては、例えばＬＡＮ（Ｌｏｃａｌ  Ａｒｅａ  Ｎｅｔｗｏｒｋ；構内通信網）端子等が用いられる。また、外部インターフェース１８としては、ＵＳＢ（Ｕｎｉｖｅｒｓａｌ  Ｓｅｒｉａｌ  Ｂｕｓ；ユニバーサル・シリアル・バス）やＢｌｕｅｔｏｏｔｈ（登録商標）、無線ＬＡＮ、ＲＳ−２３２（Ｒｅｃｏｍｍｅｎｄｅｄ  Ｓｔａｎｄａｒｄ−２３２）等を用いても良い。
【００２２】
視線センサ２１は、例えばカメラにより人間の目を撮影し、虹彩の位置に基づいて視線を検出する。
人感センサ２２は、例えば、赤外線による反射光を検出し、三角測量の原理により、検出物体までの距離を検出する。本実施形態では、視線センサ２１及び人感センサ２２は、使用者の視野範囲を判定する視野範囲判定部を構成する。なお、視線センサ２１及び人感センサ２２は、映像表示装置１０及び１０ｂのベゼル等に固定して取り付けても良いし、外付けしても良い。
【００２３】
図４は、本発明の第１の実施形態に係るマルチ画面表示システム１でのバックライト制御の概要を示している。図４に示すように、本発明の第１の実施形態に係るマルチ画面表示システム１では、映像表示装置１０ａ及び１０ｂに設けられた視線センサ２１により、使用者２６の目線が検出される。また、映像表示装置１０ａ及び１０ｂに設けられた人感センサ２２により、使用者２６と映像表示装置１０ａ及び１０ｂとの間の距離が検出される。そして、映像表示装置１０ａ及び１０ｂは、使用者２６の視野範囲に基づいて、高輝度領域（バックライトの輝度を明るく保つ領域）と、低輝度領域（バックライトの輝度を暗くする領域）とを設定している。
【００２４】
ここで、映像表示装置１０ａ及び１０ｂに設けられた視線センサ２１や人感センサ２２の双方が常に使用者２６を検出できるとは限らない。映像表示装置１０ａ及び１０ｂと使用者２６との位置関係によっては、映像表示装置１０ａ又は１０ｂに設けられた視線センサ２１や人感センサ２２のうち、一方のみが検出可能で、他方が検出不可能な場合が想定される。以下の例では、映像表示装置１０ａに設けられた視線センサ２１及び人感センサ２２のみが使用者２６を検出したものとして説明する。
【００２５】
映像表示装置１０ａは、視線センサ２１の検出信号と人感センサ２２の検出信号を取得すると、これらの情報を用いて、使用者２６の視野範囲を求める。そして、映像表示装置１０ａは、使用者２６の視野範囲に基づいて、高輝度領域と、低輝度領域とを設定する。ところが、使用者２６の視野範囲は、複数の映像表示装置１０ａ及び１０ｂの画面を跨ぐことがある。この場合、映像表示装置１０ｂ側も、使用者２６の視野範囲に基づいて、高輝度領域と低輝度領域とを設定する必要がある。
【００２６】
そこで、本実施形態では、マルチ画面表示システム１の全体の表示位置を複数の映像表示装置１０ａ及び１０ｂで共有し、映像表示装置１０ａからはみ出した使用者２６の視野範囲の位置情報を、ケーブル２３を介して映像表示装置１０ａから映像表示装置１０ｂに送るようにしている。これにより、図４に示すように、映像表示装置１０ａと映像表示装置１０ｂとの跨がる視野範囲で、映像表示装置１０ａと映像表示装置１０ｂとの双方で、高輝度領域と低輝度領域とを設定できる。このことについて、以下、図５のフローチャートを参照しながら説明する。
【００２７】
図５は、本発明の第１の実施形態に係るマルチ画面表示システム１におけるバックライトの輝度制御を示すフローチャートである。また、図６は、マルチ画面の全体の表示位置の座標を示すものである。
【００２８】
図５において、映像表示装置１０ａの制御部１６は、マルチ画面の構成に応じて、マルチ画面の全体の表示位置の座標を設定する（ステップＳ１０１）。例えば、（ｍ×ｎ）画素（ｍは水平方向の画素数、ｎは垂直方向の画素数）からなる映像表示装置１０ａと映像表示装置１０ｂとを横に並べたとする。この場合、図６（Ａ）に示すように、マルチ画面の全体の表示位置の座標は、（２ｍ×ｎ）画素となる。映像表示装置１０ａの制御部１６は、このような（２ｍ×ｎ）の座標を、マルチ画面の全体の表示位置の座標として設定し、メモリ１７に保存する。
【００２９】
次に、映像表示装置１０ａの制御部１６は、このマルチ画面の全体の表示位置の座標を映像表示装置１０ｂに送信する（ステップＳ１０２）。
【００３０】
映像表示装置１０ｂの制御部１６は、マルチ画面の全体の表示位置の座標を受信すると（ステップＳ２０１）、受信した座標をメモリ１７に保存し、この座標に基づいて、マルチ画面の全体の表示位置の座標を設定する（ステップＳ２０２）。これにより、映像表示装置１０ａ及び１０ｂは、マルチ画面の全体の表示位置を共有することになる。
【００３１】
なお、マルチ画面の全体の表示位置の座標は、映像表示装置１０ｂ側で求めて、映像表示装置１０ａに送信しても良い。要は、映像表示装置１０ａと映像表示装置１０ｂとで、図６（Ａ）に示すようなマルチ画面の全体の表示位置の座標を共有できれば良い。
【００３２】
映像表示装置１０ａの制御部１６は、視線センサ２１の検出信号を取得し（ステップＳ１０３）、人感センサ２２の検出信号を取得する（ステップＳ１０４）。
【００３３】
そして、映像表示装置１０ａの制御部１６は、視線センサ２１の検出信号と、人感センサ２２の検出信号とに基づいて、使用者２６の視野範囲を求め、高輝度領域と低輝度領域とを設定する（ステップＳ１０５）。
【００３４】
つまり、一般的には、使用者２６の視野角は、片目では鼻側および上側で約６０度、下側で約７０度、耳側に約９０度から１００度と言われている。この視野の特性に基づいて、映像表示装置１０ａの制御部１６は、視線センサ２１の検出値から使用者２６の視野を判定する。このとき、使用者２６の視認可能な画面範囲は、使用者と映像表示装置１０ａ及び１０ｂとの間の距離によって異なる。使用者２６と映像表示装置１０ａ及び１０ｂとの間の距離が近いと、使用者の視野範囲は狭くなる。使用者２６と映像表示装置１０ａ及び１０ｂとの間の距離が遠いと、使用者２６の視野範囲は広くなる。映像表示装置１０ａの制御部１６は、視線センサ２１の検出信号から使用者２６の視野角を求め、人感センサ２２の検出信号から、使用者２６と映像表示装置１０ａ及び１０ｂとの間の距離を求め、これにより、使用者２６の視野範囲を求める。
【００３５】
次に、映像表示装置１０ａの制御部１６は、図６（Ａ）のマルチ画面の全体の表示位置の座標を参照して、求められた使用者２６の視野範囲が他の映像表示装置の領域に跨っているか否かを判定する（ステップＳ１０６）。
【００３６】
使用者２６の視野範囲が他の映像表示装置に跨っていなければ（ステップＳ１０６：Ｎｏ）、映像表示装置１０ａの制御部１６は、設定された映像表示装置１０ａでの高輝度領域ＨＡ１と低輝度領域ＬＡ２とを設定し、バックライトの輝度を制御する（ステップＳ１０７）。
【００３７】
使用者２６の視野範囲が他の映像表示装置に跨っていれば（ステップＳ１０６：Ｙｅｓ）、映像表示装置１０ａは、はみ出した視野範囲の位置情報を映像表示装置１０ｂに送信する（ステップＳ１０８）。
【００３８】
映像表示装置１０ｂの制御部１６は、はみ出した視野範囲のサイズ及び位置を受信すると（ステップＳ２０３）、図６（Ａ）のマルチ画面の全体の表示位置の座標を参照して、高輝度領域ＨＡ２と低輝度領域ＬＡ２を設定し、バックライト１４の輝度を制御する（ステップＳ２０５）。
【００３９】
例えば、図６（Ｂ）に示すように、座標（ｐ１１，ｐ１２）を中心に、垂直方向にＬ１１、水平方向にＬ１２を視線範囲に設定したとする。この場合、映像表示装置１０ａの制御部１６は、図６（Ｂ）に示すように、座標（ａ１１，ａ１２）、（ｂ１１，ｂ１２）、（ｃ１１，ｃ１２）、（ｄ１１，ｄ１２）の範囲を視線範囲に設定する。
【００４０】
図６（Ｂ）に示すように、視線範囲となる（ａ１１，ａ１２）、（ｂ１１，ｂ１２）、（ｃ１１，ｃ１２）、（ｄ１１，ｄ１２）の領域は、映像表示装置１０ａの領域と映像表示装置１０ｂの領域とに跨っている。この場合、映像表示装置１０ａの制御部１６は、座標（ａ１１，ａ１２）、（ｅ１１，ｅ１２）、（ｆ１１，ｆ１２）、（ｄ１１，ｄ１２）の範囲を高輝度領域ＨＡ１に設定し、はみ出した視線範囲の座標（ｅ１１，ｅ１２）、（ｂ１１，ｂ１２）、（ｃ１１，ｃ１２）、（ｆ１１，ｆ１２）を映像表示装置１０ｂに送信する。
【００４１】
映像表示装置１０ｂは、はみ出した視線範囲の座標（ｅ１１，ｅ１２）、（ｂ１１，ｂ１２）、（ｃ１１，ｃ１２）、（ｆ１１，ｆ１２）を受信すると、この座標（ｅ１１，ｅ１２）、（ｂ１１，ｂ１２）、（ｃ１１，ｃ１２）、（ｆ１１，ｆ１２）の範囲を、映像表示装置１０ｂの画面上の座標に変換し、高輝度領域ＨＡ２を設定する。
【００４２】
以上説明したように、本発明の実施形態に係るマルチ画面表示システム１では、複数の映像表示装置１０ａ及び１０ｂとでマルチ画面表示システム１の全体の表示位置を共有し、映像表示装置１０ａからはみ出した視線範囲の位置情報を、映像表示装置１０ｂに送るようにしている。これにより、映像表示装置１０ａと映像表示装置１０ｂとの跨がる視線範囲の場合にも、バックライトの輝度を最適に設定できる。
【００４３】
なお、上述の例では、映像表示装置１０ａ側に設けられた視線センサ２１及び人感センサ２２のみが使用者２６を検出したものとして説明したが、映像表示装置１０ｂ側に設けられた視線センサ２１及び人感センサ２２のみが使用者２６を検出した場合には、これとは反対の処理を行えば良い。すなわち、この場合には、映像表示装置１０ｂ側で使用者２６の視線範囲を求め、映像表示装置１０ｂから映像表示装置１０ａに、はみ出した視線範囲の位置情報を送信すれば良い。
【００４４】
なお、この例では２台の映像表示装置１０ａ及び１０ｂを並べてマルチ画面表示システム１を構成しているが、２台以上の映像表示装置を並べてマルチ画面表示システム１を構成している場合にも、同様に適用できる。
【００４５】
図７は、本発明によるマルチ画面表示システムの基本構成を示す概略ブロック図である。すなわち、本発明によるマルチ画面表示システム１００は、複数の表示装置１０１ａ及び１０１ｂを並べてマルチ画面を構成するようにしたマルチ画面表示システムであって、表示装置１０１ａは、視野範囲判定部１０２と、表示位置記憶部１０３と、バックライト輝度制御部１０４を基本構成とする。視野範囲判定部１０２は、使用者の視野範囲を判定する。表示位置記憶部１０３は、マルチ画面の全体の位置を複数の表示装置１００ａ、１００ｂで共有する。バックライト輝度制御部１０４は、一画面を複数に分割した点灯領域毎にバックライトの輝度を調整可能なローカルディミング機能を有し、使用者の視野範囲に応じて当該表示装置のバックライトの輝度を設定するとともに、表示装置１００ａの表示領域からはみ出した視野範囲の位置情報を他の表示装置１００ｂに送信する。
【００４６】
なお、マルチ画面表示システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４７】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００４８】
１：マルチ画面表示システム，１０ａ，１０ｂ：映像表示装置，１１：映像入力部，１２：映像処理部，１３：液晶パネル，１４：バックライト，１５：バックライト駆動部，１６：制御部，１７：メモリ，１８：外部インターフェース，２１：視線センサ，２２：人感センサ、２３：ケーブル
【図１】
2017156593.tif 000003
【図２】
2017156593.tif 000004
【図３】
2017156593.tif 000005
【図４】
2017156593.tif 000006
【図５】
2017156593.tif 000007
【図６】
2017156593.tif 000008
【図７】
2017156593.tif 000009